(57)【要約】【課題】照明装置の本体部の共通化と、誤組み立ての発生の抑制とを図ることができる照明装置および照明装置セットを提供することである。【解決手段】実施形態に係る照明装置は、本体部と；前記本体部の端面に設けられたカバー部と；前記本体部と、前記カバー部と、の間に設けられ、発光素子を有する発光モジュールと；を具備している。    前記カバー部は、前記カバー部を灯具に取り付ける取付部を有している。    前記発光モジュールの前記カバー部側の端部の位置は、前記本体部の前記カバー部側の端部の位置と同じかそれよりも前記カバー部側にある。    前記カバー部の前記本体部と接触する部分における前記本体部側の端部の位置は、前記発光モジュールの前記カバー部側の端部の位置よりも前記本体部側にある。【選択図】図１
2015122164.tif 000002
【特許請求の範囲】
【請求項１】
本体部と；
前記本体部の端面に設けられたカバー部と；
前記本体部と、前記カバー部と、の間に設けられ、発光素子を有する発光モジュールと；
を具備し、
前記カバー部は、前記カバー部を灯具に取り付ける取付部を有し、
前記発光モジュールの前記カバー部側の端部の位置は、前記本体部の前記カバー部側の端部の位置と同じかそれよりも前記カバー部側にあり、
前記カバー部の前記本体部と接触する部分における前記本体部側の端部の位置は、前記発光モジュールの前記カバー部側の端部の位置よりも前記本体部側にある照明装置。
【請求項２】
前記カバー部は、
前記本体部の端面に設けられる基部と；
前記基部の前記本体部側とは反対の側の端面から、前記照明装置の中心軸方向に向けて突出する光学要素部と；
前記光学要素部の側面から、前記照明装置の前記中心軸に直交する方向に向けて突出する前記取付部と；
前記光学要素部に設けられ、前記発光素子から出射した光に対する光学的な制御を行う光学要素と；
を具備した請求項１記載の照明装置。
【請求項３】
前記光学要素は、リフレクタ、レンズ、および導光体の少なくともいずれかの機能を有する請求項２記載の照明装置。
【請求項４】
一端が、前記発光モジュールに電気的に接続された配線と；
前記配線の他端に電気的に接続されたコネクタと；
をさらに具備した請求項１〜３のいずれか１つに記載の照明装置。
【請求項５】
本体部と；
前記本体部の端面に設けられる第１のカバー部と；
前記本体部の端面に設けられる第２のカバー部と；
前記本体部と、前記第１のカバー部と、の間、または、前記本体部と、前記第２のカバー部と、の間、に設けられ、発光素子を有する発光モジュールと；
を具備し、
前記第１のカバー部は、前記第１のカバー部を第１の灯具に取り付ける第１の取付部と、前記発光素子から出射した光に対する光学的な制御を行う第１の光学要素と、を有し、
前記第２のカバー部は、前記第２のカバー部を第２の灯具に取り付ける第２の取付部と、前記発光素子から出射した光に対する光学的な制御を行う第２の光学要素と、を有した照明装置セット。
【発明の詳細な説明】
【技術分野】
【０００１】
本発明の実施形態は、照明装置および照明装置セットに関する。
【背景技術】
【０００２】
発光ダイオード（Light Emitting Diode：ＬＥＤ）を有する発光モジュールと、発光モジュールを取り付ける本体部とを備えた照明装置がある。  
この様な照明装置においては、自動車などに設けられ、レンズなどを備えた灯具に照明装置の本体部を直接取り付けるようにしている。  
ここで、種々の灯具に対して照明装置の本体部を共通化すれば、生産性の向上や低価格化を図ることができる。  
しかしながら、灯具の用途やデザインなどに応じて、レンズなどの光学要素の構成が変わるので、異なる構成を有する複数の光学要素が必要となる。  
そのため、照明装置の本体部を単に共通化すれば、所定の灯具に対して不適切な構成を有する光学要素が取り付けられること（誤組み立て）が発生するおそれがある。  
そこで、照明装置の本体部の共通化と、誤組み立ての発生の抑制とを図ることができる照明装置の開発が望まれていた。
【先行技術文献】
【特許文献】
【０００３】
【特許文献１】特開２０１２−３８６９８号公報
【発明の概要】
【発明が解決しようとする課題】
【０００４】
本発明が解決しようとする課題は、照明装置の本体部の共通化と、誤組み立ての発生の抑制とを図ることができる照明装置および照明装置セットを提供することである。
【課題を解決するための手段】
【０００５】
実施形態に係る照明装置は、本体部と；前記本体部の端面に設けられたカバー部と；前記本体部と、前記カバー部と、の間に設けられ、発光素子を有する発光モジュールと；を具備している。  
前記カバー部は、前記カバー部を灯具に取り付ける取付部を有している。  
前記発光モジュールの前記カバー部側の端部の位置は、前記本体部の前記カバー部側の端部の位置と同じかそれよりも前記カバー部側にある。  
前記カバー部の前記本体部と接触する部分における前記本体部側の端部の位置は、前記発光モジュールの前記カバー部側の端部の位置よりも前記本体部側にある。
【発明の効果】
【０００６】
本発明の実施形態によれば、照明装置の本体部の共通化と、誤組み立ての発生の抑制とを図ることができる照明装置および照明装置セットを提供することができる。
【図面の簡単な説明】
【０００７】
【図１】本実施の形態に係る照明装置１を例示するための模式断面図である。
【図２】図１におけるＡ−Ａ線矢視図である。
【図３】本実施の形態に係る照明装置セット５１について例示をするための模式構成図である。
【発明を実施するための形態】
【０００８】
実施形態に係る発明は、本体部と；前記本体部の端面に設けられたカバー部と；前記本体部と、前記カバー部と、の間に設けられ、発光素子を有する発光モジュールと；を具備した照明装置である。  
そして、前記カバー部は、前記カバー部を灯具に取り付ける取付部を有している。
前記発光モジュールの前記カバー部側の端部の位置は、前記本体部の前記カバー部側の端部の位置と同じかそれよりも前記カバー部側にある。  
前記カバー部の前記本体部と接触する部分における前記本体部側の端部の位置は、前記発光モジュールの前記カバー部側の端部の位置よりも前記本体部側にある。  
この照明装置によれば、共通化された本体部に対して、異なる構成を有するカバー部を選択的に取り付けることが可能となる。そのため、照明装置の本体部の共通化と、誤組み立ての発生の抑制とを図ることができる。
【０００９】
また、前記カバー部は、前記本体部の端面に設けられる基部と；前記基部の前記本体部側とは反対の側の端面から、前記照明装置の中心軸方向に向けて突出する光学要素部と；前記光学要素部の側面から、前記照明装置の前記中心軸に直交する方向に向けて突出する前記取付部と；前記光学要素部に設けられ、前記発光素子から出射した光に対する光学的な制御を行う光学要素と；を具備したものとすることができる。  
この様な構成を有するカバー部とすれば、照明装置に対する多様な光学的仕様に対応することができる。
【００１０】
また、前記光学要素は、リフレクタ、レンズ、および導光体の少なくともいずれかの機能を有したものとすることができる。  
この様な構成を有する光学要素とすれば、照明装置に対する多様な光学的仕様に対応することができる。
【００１１】
また、一端が、前記発光モジュールに電気的に接続された配線と；前記配線の他端に電気的に接続されたコネクタと；をさらに具備した照明装置とすることができる。  
この様にすれば、灯具の種類毎に異なるコネクタを用いることが可能となるので、誤組み立ての発生を抑制することができる。
【００１２】
また、他の実施形態に係る発明は、本体部と；前記本体部の端面に設けられる第１のカバー部と；前記本体部の端面に設けられる第２のカバー部と；前記本体部と、前記第１のカバー部と、の間、または、前記本体部と、前記第２のカバー部と、の間、に設けられ、発光素子を有する発光モジュールと；を具備した照明装置セットである。  
そして、前記第１のカバー部は、前記第１のカバー部を第１の灯具に取り付ける第１の取付部と、前記発光素子から出射した光に対する光学的な制御を行う第１の光学要素と、を有している。  
前記第２のカバー部は、前記第２のカバー部を第２の灯具に取り付ける第２の取付部と、前記発光素子から出射した光に対する光学的な制御を行う第２の光学要素と、を有している。  
この照明装置セットによれば、所望の光学的機能を有するカバー部を適宜選択することができる。そのため、照明装置セットによれば、本体部の共通化を図るとともに、照明装置に対する多様な光学的仕様に迅速に対応することができる。
【００１３】
以下、図面を参照しつつ、実施の形態について例示をする。なお、各図面中、同様の構成要素には同一の符号を付して詳細な説明は適宜省略する。  
なお、本発明の実施形態に係る照明装置および照明装置セットは、例えば、自動車、鉄道用車輌、航空機、船舶などの移動体に用いられる照明装置および照明装置セットとすることができる。  
例えば、照明装置および照明装置セットは、自動車のリアフォグランプ、ポジションランプ（車幅灯）、ナンバー灯、バックランプ、ストップランプ、テールランプ（尾灯）、ウィンカー（方向指示器）、室内灯、表示や信号などに用いられるものとすることができる。ただし、照明装置および照明装置セットの用途は、これらに限定されるわけではない。
【００１４】
（照明装置１）  
まず、本実施の形態に係る照明装置１について例示をする。  
図１は、本実施の形態に係る照明装置１を例示するための模式断面図である。  
なお、図１は図２におけるＢ−Ｂ線断面図である。  
図２は、図１におけるＡ−Ａ線矢視図である。  
図１および図２に示すように、照明装置１には、本体部１０、発光モジュール２０、カバー部３０、および配線部４０が設けられている。  
本体部１０には、基部１１、フランジ部１２、および位置合わせ部１３が設けられている。
【００１５】
基部１１は、フランジ部１２の一方の端面から照明装置１の中心軸１ａ方向に向けて突出している。基部１１の内部には配線４１の一方の端部側が挿入されている。  
また、基部１１には、図示しない複数の放熱フィンを設けることができる。  
フランジ部１２は、板状を呈している。  
フランジ部１２は、基部１１の一方の端部の側面から照明装置１の中心軸１ａに直交する方向に向けて突出している。
【００１６】
位置合わせ部１３は、フランジ部１２の基部１１が設けられる側とは反対側の端面から照明装置１の中心軸１ａ方向に向けて突出している。  
位置合わせ部１３には、カバー部３０の基部３１に設けられた凹部３１ａが嵌め合わされている。  
そのため、本体部１０に設けられた発光モジュール２０と、カバー部３０に設けられた後述する光学要素との位置合わせができるようになっている。
【００１７】
本体部１０は、発光モジュール２０およびカバー部３０などが取り付けられるとともに、発光モジュール２０などで発生した熱を照明装置１の外部に放出する機能を有する。
そのため、熱を外部に放出することを考慮して、本体部１０を熱伝導率の高い材料から形成することができる。例えば、本体部１０は、アルミニウム、アルミニウム合金、高熱伝導性樹脂などから形成することができる。高熱伝導性樹脂は、例えば、ＰＥＴ（Polyethylene terephthalate）やナイロン等の樹脂に、熱伝導率の高い炭素や酸化アルミニウム等からなる繊維や粒子を混合させたものである。  
この場合、図示しない放熱フィンなどの熱を外部に放出する部分を熱伝導率の高い材料から形成し、その他の部分を樹脂などから形成することもできる。
【００１８】
ここで、本実施の形態に係る照明装置１においては、自動車などに設けられた種々の灯具１００に対して、本体部１０が共通化されている。  
すなわち、灯具１００の取付部材の構成が異なるものとなっても、本体部１０の構成は同一となっている。  
ただし、本体部１０の構成は、図１および図２に例示をしたものに限定されるわけではなく、共通化されていればよい。
【００１９】
発光モジュール２０は、本体部１０とカバー部３０との間に設けられている。  
発光モジュール２０には、基板２１、発光素子２２、および封止部２３が設けられている。  
基板２１は、位置合わせ部１３のフランジ部１２側とは反対側の端面に設けられている。
基板２１は、板状を呈し、表面に図示しない配線パターンが設けられている。  
基板２１の材料や構造には特に限定はない。例えば、基板２１は、酸化アルミニウムや窒化アルミニウムなどの無機材料（セラミックス）、紙フェノールやガラスエポキシなどの有機材料などから形成することができる。また、基板２１は、金属板の表面を絶縁体で被覆したものであってもよい。なお、金属板の表面を絶縁体で被覆する場合には、絶縁体は、有機材料からなるものであってもよいし、無機材料からなるものであってもよい。
【００２０】
発光素子２２の発熱量が多い場合には、放熱の観点から熱伝導率の高い材料を用いて基板２１を形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
また、基板２１は、単層であってもよいし、多層であってもよい。
【００２１】
基板２１には、厚み方向を貫通する孔が設けられている。そして、基板２１の厚み方向を貫通する孔の周りには、図示しない配線パターンの入力端子が設けられている。図示しない配線パターンの入力端子には、基板２１の厚み方向を貫通する孔に挿入された配線部４０の接続端４１ａが半田付けされている。そのため、発光素子２２は、図示しない配線パターン、半田付け部分、配線部４０、および外部配線部１４０を介して、外部に設けられた電源などと電気的に接続される。
【００２２】
発光素子２２は、基板２１の表面に設けられた図示しない配線パターンの上に実装されている。  
発光素子２２は、図示しない配線パターンに設けられる側とは反対側の面（上面）に図示しない電極を有したものとすることができる。なお、図示しない電極は、図示しない配線パターンに設けられる側の面（下面）と、図示しない配線パターンに設けられる側とは反対側の面（上面）とに設けられていてもよいし、どちらかの面のみに設けられていてもよい。
【００２３】
発光素子２２の下面に設けられた図示しない電極は、銀ペーストなどの導電性の熱硬化材を介して図示しない配線パターンに設けられた実装パッドと電気的に接続される。発光素子２２の上面に設けられた図示しない電極は、図示しない配線を介して図示しない配線パターンに設けられた配線パッドと電気的に接続される。図示しない配線の接合は、例えば、ワイヤボンディング法を用いて行うことができる。
【００２４】
発光素子２２は、例えば、発光ダイオード、有機発光ダイオード、レーザダイオードなどとすることができる。  
発光素子２２の光の出射面である上面は、照明装置１の正面側に向けられており、主に、照明装置１の正面側に向けて光を出射する。  
発光素子２２の数、大きさ、配置などは、例示をしたものに限定されるわけではなく、照明装置１の大きさや用途などに応じて適宜変更することができる。  
また、発光素子２２に流れる電流を制御する図示しない制御素子を図示しない配線パターンの上に実装することもできる。  
またさらに、必要に応じて、図示しない回路部品などを図示しない配線パターンの上に実装することもできる。
【００２５】
封止部２３は、発光素子２２、および、発光素子２２の図示しない電極と図示しない配線パターンの配線パッドとを接続する配線を覆っている。  
封止部２３は、透光性を有する材料から形成することができる。封止部２３は、例えば、シリコーン樹脂やエポキシ樹脂などから形成することができる。  
また、封止部２３には、蛍光体を含めることができる。蛍光体は、例えば、ＹＡＧ系蛍光体（イットリウム・アルミニウム・ガーネット系蛍光体）とすることができる。  
例えば、発光素子２２が青色発光ダイオード、蛍光体がＹＡＧ系蛍光体である場合には、発光素子２２から出射した青色の光によりＹＡＧ系蛍光体が励起され、ＹＡＧ系蛍光体から黄色の蛍光が放射される。そして、青色の光と黄色の光が混ざり合うことで、白色の光が照明装置１から出射される。なお、蛍光体の種類や発光素子２２の種類は例示をしたものに限定されるわけではなく、照明装置１の用途などに応じて所望の発光色が得られるように適宜変更することができる。
【００２６】
また、照明装置１の用途や、後述する光学要素部３３に設けられた光学要素の機能などに応じて、必要な部材を基板２１の上にさらに設けることができる。  
例えば、図１および図２に例示をした光学要素部３３には、リフレクタの機能を有する光学要素である凹部３５ｃが設けられている。しかしながら、後述するように、光学要素部３３には、レンズや導光体などの他の光学的な機能を有する光学要素（例えば、配光部３５ａ、レンズ部３５ｂ、導光部３５ｄなど）を設けることができる。  
例えば、リフレクタの機能を有する光学要素以外の他の光学要素が設けられる場合には、包囲壁部材２４を基板２１の上にさらに設けることができる。
【００２７】
包囲壁部材２４は、発光素子２２を囲むようにして、基板２１上に設けられている。包囲壁部材２４は、例えば、環状を呈し、中央部に発光素子２２が露出するようになっている。  
包囲壁部材２４は、例えば、ＰＢＴ（polybutylene terephthalate）やＰＣ（polycarbonate）などの樹脂や、セラミックスなどから形成することができる。  
また、包囲壁部材２４の材料を樹脂とする場合には、酸化チタンなどの粒子を混合して、発光素子２２から出射した光に対する反射率を向上させることができる。  
なお、酸化チタンの粒子に限定されるわけではなく、発光素子２２から出射した光に対する反射率が高い材料からなる粒子を混合させるようにすればよい。  
また、包囲壁部材２４は、例えば、白色の樹脂から形成することもできる。
【００２８】
包囲壁部材２４の中央部側の側壁面は斜面となっている。発光素子２２から出射した光の一部は、包囲壁部材２４の側壁面で反射されて、照明装置１の正面側に向けて出射される。  
また、発光素子２２から照明装置１の正面側に向けて出射された光の一部であって封止部２３の天面（封止部２３と外気との界面）で全反射した光は、包囲壁部材２４の中央部側の側壁面で反射して、再び照明装置１の正面側に向けて出射される。  
すなわち、包囲壁部材２４は、リフレクタの機能を有する。なお、包囲壁部材２４の形態は、例示をしたものに限定されるわけではなく、照明装置１の用途などに応じて適宜変更することができる。
【００２９】
なお、包囲壁部材２４を設ける場合には、包囲壁部材２４の中央部に前述した封止部２３を設けることができる。この場合、封止部２３の形態は、包囲壁部材２４の形態により規定される。  
一方、包囲壁部材２４を設けない場合には、封止部２３の形態は、ドーム状などとすることができる。
【００３０】
ここで、発光モジュール２０の発光素子２２と、後述するカバー部３０の光学要素部３３との間の距離は短い方が好ましい。  
発光モジュール２０の発光素子２２と、カバー部３０の光学要素部３３との間の距離が長くなると、発光素子２２から出射した光のうち光学要素部３３に設けられた光学要素に入射しない光の量が増えることになる。  
そのため、本実施の形態に係る照明装置１においては、発光モジュール２０のカバー部３０側の端部の位置（カバー部３０の本体部１０側とは反対側の端面３０ａに最も近い部分の位置）は、本体部１０のカバー部３０側の端部の位置と同じかそれよりもカバー部３０側にあるようになっている。  
すなわち、本体部１０の上端が、発光モジュール２０の上端よりもカバー部３０側に出っ張らないようになっている。  
例えば、図１に例示をしたものの場合には、発光モジュール２０の封止部２３または包囲壁部材２４の上端の位置が、本体部１０の位置合わせ部１３の上面１３ａの位置よりも上にあるようになっている。  
この様にすれば、発光モジュール２０の発光素子２２と、カバー部３０の光学要素部３３との間の距離を短くすることができるので、発光素子２２から出射した光の利用効率を向上させることができる。
【００３１】
カバー部３０は、本体部１０の一方の端面に設けられている。  
カバー部３０には、基部３１、保持爪３２、光学要素部３３、および取付部３４が設けられている。  
カバー部３０は、発光モジュール２０を保護するとともに、光学要素部３３に設けられた光学要素による光学的な制御を行うために設けられている。  
基部３１は、板状を呈し、フランジ部１２の基部１１が設けられる側とは反対側に設けられている。  
基部３１のフランジ部１２側（本体部１０側）には凹部３１ａが設けられている。
【００３２】
保持爪３２は、基部３１の周縁近傍に設けられている。  
保持爪３２は、フランジ部１２に接触するとともに、弾性力により、カバー部３０の基部３１を本体部１０のフランジ部１２に押し付ける。  
そのため、カバー部３０と、本体部１０との間のがたつきを抑制することができる。
保持爪３２の数には特に限定はないが、保持爪３２の数を２つ以上とすれば、カバー部３０の取り付けを安定させることができる。  
また、保持爪３２の配置にも特に限定はないが、複数の保持爪３２同士の間の距離が等しくなるようにすれば（均等配置とすれば）、カバー部３０の取り付けを安定させることができる。
【００３３】
また、保持爪３２の先端を本体部１０に設けられた凹部の内部に挿入することで、カバー部３０を本体部１０に取り付けるようにすることもできる。  
ただし、前述したように、保持爪３２の弾性力により、カバー部３０の基部３１を本体部１０のフランジ部１２に押し付けるようにすれば、カバー部３０と、本体部１０との間のがたつきを低減させることができる。  
また、接着剤などを用いて、カバー部３０と、本体部１０とを接着してもよい。この場合、保持爪３２を設けるようにすれば、接着剤が硬化するまでの間にカバー部３０と本体部１０との間の相対的な位置がずれるのを抑制することができる。  
また、カバー部３０の本体部１０と接触する部分における本体部１０側の端部の位置（例えば、保持爪３２の先端の位置）は、発光モジュール２０のカバー部３０側の端部の位置よりも本体部１０側にある。  
この様にすれば、カバー部３０の設計に対する自由度を高めることができる。
【００３４】
光学要素部３３は、基部３１の本体部１０側とは反対側に設けられている。  
光学要素部３３は、基部３１の本体部１０側とは反対の側の端面から、照明装置１の中心軸１ａ方向に向けて突出している。  
光学要素部３３には、内部に発光素子２２が露出するすり鉢状の凹部３５ｃが設けられている。  
すり鉢状の凹部３５ｃは、リフレクタの機能を有する光学要素である。  
この場合、光学要素は、光学要素部３３に設けられ、発光素子２２から出射した光に対する光学的な制御を行う。  
ただし、光学要素部３３に設けられる光学要素は、照明装置１の用途や光学的な仕様などに応じて適宜変更することができる。  
なお、光学要素部３３に設けられる他の光学要素に関する詳細は後述する。
【００３５】
ここで、カバー部３０は、本体部１０に取り付けられる。そのため、所望の光学的機能を有するカバー部３０を適宜選択することで、本体部１０の共通化を図るとともに、照明装置１に対する多様な光学的仕様に対応することができる。
【００３６】
取付部３４は、光学要素部３３の側面から照明装置１の中心軸１ａに直交する方向に向けて突出している。  
取付部３４は、照明装置１（カバー部３０）を自動車などに設けられた灯具１００に取り付ける際に灯具１００側の取付部材と協働して、灯具１００に照明装置１を保持させる。
この場合、照明装置１を灯具１００に保持させる方法としては、例えば、取付部３４を複数設け、灯具１００側の溝などに取付部３４を挿入した後、照明装置１を回転させて固定状態にするもの（ツイストロック）などを例示することができる。
【００３７】
取付部３４の形状、寸法、数、および配置などは、例示をしたものに限定されるわけではなく、灯具１００側の取付部材などに応じて適宜変更することができる。  
ここで、取付部３４と光学要素部３３を有するカバー部３０は、本体部１０に取り付けられる。そのため、灯具１００側の取付部材などに適合する形状や寸法などを有する取付部３４と光学要素部３３とが設けられたカバー部３０を適宜選択することで、本体部１０の共通化を図るとともに、灯具１００の種々の取り付け形態に対応することができる。
また、灯具１００の種類毎に異なる取付部３４と光学要素部３３を有するカバー部３０を用いるようにすれば、誤組み立ての発生を抑制することができる。
【００３８】
カバー部３０の材料には、特に限定はない。  
この場合、カバー部３０の材料は、本体部１０の材料と同じものにすることもできるし、本体部１０の材料と異なるものとすることもできる。  
また、基部３１、保持爪３２、光学要素部３３および取付部３４の材料を同じものとすることもできるし、基部３１、保持爪３２、光学要素部３３および取付部３４の材料を異なるものとすることもできる。
【００３９】
この場合、基部３１、光学要素部３３、および光学要素の材料は、光学的機能に応じて適宜選択することができる。  
例えば、外部への光の漏れを抑制する基部３１や光学要素部３３とする場合には、基部３１や光学要素部３３の材料は、遮光性を有する樹脂や金属などとすることができる。
また、リフレクタの機能を有する光学要素（凹部３５ｃ）とする場合には、光学要素の材料は、発光素子２２から出射した光に対する反射率が高い材料とすることができる。
発光素子２２から出射した光に対する反射率が高い材料は、例えば、酸化チタンなどの粒子が混合された樹脂や、白色の樹脂などとすることができる。  
なお、酸化チタンの粒子が混合された樹脂に限定されるわけではなく、発光素子２２から出射した光に対する反射率が高い材料からなる粒子が混同された樹脂とすればよい。
また、レンズや導光体などの光学的な機能を有する光学要素（例えば、配光部３５ａ、レンズ部３５ｂ、導光部３５ｄなど）とする場合には、光学要素の材料は、透明樹脂などの透光性材料とすることができる。
【００４０】
配線部４０には、配線４１およびコネクタ４２が設けられている。  
配線４１は、例えば、銅や銅合金などの導電性材料からなる素線に耐摩耗性が高い絶縁体を被覆したものとすることができる。  
配線４１の少なくとも一方の端部は、素線が露出している。素線が露出している部分が接続端４１ａとなる。  
また、配線部４０は、複数の配線４１をまとめたワイヤーハーネス（Wire Harness）とすることもできる。  
なお、配線４１の数や寸法は例示をしたものに限定されるわけではなく、照明装置１の用途などに応じて適宜変更することができる。
【００４１】
コネクタ４２は、配線４１の接続端４１ａとは反対側の端部に電気的に接続されている。
コネクタ４２には、コネクタ１４２が着脱自在に接続されている。  
配線１４１の一方の端部は、コネクタ１４２に電気的に接続されている。  
配線１４１の他方の端部は、外部の電源などと電気的に接続されている。  
ここで、灯具１００の種類に応じて、コネクタ４２、１４２の形態や型式を変更することができる。  
灯具１００の種類毎に異なるコネクタ４２、１４２を用いるようにすれば、誤組み立ての発生を抑制することができる。  
その他、カバー部３０と、灯具１００との間に、ゴムやシリコーンなどの材料からなる図示しないシール部材を設けることもできる。
【００４２】
本実施の形態に係る照明装置１は、所望の光学的機能を有するカバー部３０を適宜選択することができる。そのため、照明装置１は、本体部１０の共通化を図るとともに、照明装置１に対する多様な光学的仕様に対応することができる。  
また、照明装置１は、灯具１００側の取付部材などに適合する形状や寸法などを有する取付部３４と光学要素部３３とが設けられたカバー部３０を適宜選択することができる。そのため、照明装置１は、本体部１０の共通化を図るとともに、照明装置１の種々の取り付け形態に対応することができる。  
また、照明装置１は、灯具１００の種類毎に異なる取付部３４と光学要素部３３を有するカバー部３０を用いることができる。そのため、照明装置１は、誤組み立ての発生を抑制することができる。  
また、照明装置１は、灯具１００の種類毎に異なるコネクタ４２、１４２を用いることができる。そのため、照明装置１は、誤組み立ての発生を抑制することができる。
【００４３】
また、照明装置１は、発光モジュール２０のカバー部３０側の端部の位置が、本体部１０のカバー部３０側の端部の位置と同じかそれよりもカバー部３０側にあるようになっている。  
そのため、照明装置１は、発光モジュール２０の発光素子２２と、カバー部３０の光学要素部３３との間の距離を短くすることができるので、発光素子２２から出射した光の利用効率を向上させることができる。  
また、照明装置１においては、カバー部３０の本体部１０と接触する部分における本体部１０側の端部の位置が、発光モジュール２０のカバー部３０側の端部の位置よりも本体部１０側にある。  
この様にすれば、カバー部３０の設計に対する自由度を高めることができる。
【００４４】
（照明装置セット５１）  
次に、本実施の形態に係る照明装置セット５１について例示をする。  
図３は、本実施の形態に係る照明装置セット５１について例示をするための模式構成図である。  
図３に示すように、照明装置セット５１は、共通化された本体部１０に対して、複数種類のカバー部３０と配線部４０とを備えている。
【００４５】
例えば、カバー部３０は、光学要素部３３ａと、光学要素部３３ａに設けられた光学要素である配光部３５ａと、光学要素部３３ａに設けられた取付部３４ａとを備えたものとすることができる。  
配光部３５ａは、導光部３５ａ１と、反射部３５ａ２とを有する。  
導光部３５ａ１は、棒状を呈し、一端が光学要素部３３ａに保持されている。  
導光部３５ａ１は、ガラスや透明樹脂などの透光性材料から形成され、導光体としての機能を有している。  
導光部３５ａ１の他端には、反射部３５ａ２が設けられている。  
反射部３５ａ２の光学要素部３３ａ側には傾斜面が設けられている。  
発光素子２２から出射した光は、導光部３５ａ１の内部を伝播し、反射部３５ａ２に入射する。  
反射部３５ａ２が、入射した光の一部を透過させる材料からなる場合には、反射部３５ａ２に入射した光の一部は、反射部３５ａ２を透過する。また、反射部３５ａ２に入射した光の一部は、傾斜面により反射されて光学要素部３３ａ側に照射される。  
この様な配光部３５ａを設けるようにすれば、配光角を大きくすることができる。  
また、反射部３５ａ２の透過率や傾斜面の角度などにより配光特性を制御することができる。  
反射部３５ａ２が、入射した光を透過させない材料からなる場合には、反射部３５ａ２に入射した光は、傾斜面により反射されて光学要素部３３ａ側に照射される。  
この様な配光部３５ａを設けるようにすれば、照明装置の背面側に照射される光の量を増加させることができる。
【００４６】
また、例えば、カバー部３０は、光学要素部３３ｂと、光学要素部３３ｂに設けられた光学要素であるレンズ部３５ｂと、光学要素部３３ｂに設けられた取付部３４ｂとを備えたものとすることができる。  
レンズ部３５ｂは、ガラスや透明樹脂などの透光性材料から形成されている。  
発光素子２２から出射した光は、レンズ部３５ｂに入射し、所定の位置に集光される。
また、これには限定されるものでなく、レンズ部３５ｂは、レンズ部３５ｂに入射した光を、所定の方向に広げたり、または、拡散させても良い。
なお、レンズ部３５ｂは凸状の曲面を有したものとしたが、これに限定されるわけではない。例えば、レンズ部３５ｂは、凹状の曲面を有したものとしたり、光を拡散させるために表面に細かい凹凸を設けたものとすることもできる。
【００４７】
また、例えば、カバー部３０は、前述したように、光学要素部３３と、光学要素部３３に設けられた光学要素である凹部３５ｃと、光学要素部３３設けられた取付部３４とを備えたものとすることができる。
【００４８】
また、例えば、カバー部３０は、光学要素部３３ｄと、光学要素部３３ｄに設けられた光学要素である導光部３５ｄと、光学要素部３３ｄに設けられた取付部３４ｄとを備えたものとすることができる。  
導光部３５ｄは、線状を呈し、一端が光学要素部３３ｄに保持されている。  
導光部３５ｄは、ガラスや透明樹脂などの透光性材料から形成され、導光体としての機能を有してている。  
この場合、導光部３５ｄは、可撓性を有する透光性材料から形成することもできる。
発光素子２２から出射した光は、導光部３５ｄの内部を伝播するとともに、一部が導光部３５ｄの側面から外部に向けて出射する。  
可撓性を有する透光性材料からなる導光部３５ｄとすれば、導光部３５ｄの形状を任意のものとすることができる。すなわち、光が出射する部分の形状を任意のものとすることができる。そのため、デザイン性を向上させることができる。
【００４９】
以上に例示をしたように、本実施の形態に係る照明装置セット５１は、少なくとも以下のものを備えたものとすることができる。  
（１）共通化された本体部１０  
（２）本体部１０の端面に設けられる第１のカバー部  
（３）本体部１０の端面に設けられる第２のカバー部  
（４）本体部１０と第１のカバー部との間、または、本体部１０と第２のカバー部との間に設けられ、発光素子２２を有する発光モジュール２０  
この場合、第１のカバー部は、第１のカバー部を第１の灯具に取り付ける第１の取付部と、発光素子２２から出射した光に対する光学的な制御を行う第１の光学要素とを有している。  
また、第２のカバー部は、第２のカバー部を第２の灯具に取り付ける第２の取付部と、発光素子２２から出射した光に対する光学的な制御を行う第２の光学要素とを有している。
【００５０】
また、光学要素部３３、３３ａ、３３ｂ、３３ｄと、取付部３４、３４ａ、３４ｂ、３４ｄとは、灯具１００側の取付部材などに適合する形状や寸法などを有するものとすることができる。  
すなわち、カバー部３０は、灯具１００の種類毎に異なる取付部３４、３４ａ、３４ｂ、３４ｄと光学要素部３３、３３ａ、３３ｂ、３３ｄを有するものとすることができる。
【００５１】
また、配線部４０は、コネクタ４２、４２ａ、４２ｂ、４２ｄを有したものとすることができる。  
この場合、コネクタ４２、４２ａ、４２ｂ、４２ｄは、灯具１００の種類に応じて、形態や型式が異なるものとすることができる。  
また、コネクタ１４２、１４２ａ、１４２ｂ、１４２ｄは、コネクタ４２、４２ａ、４２ｂ、４２ｄにそれぞれ適合するものとすることができる。
【００５２】
なお、カバー部３０の構成と配線部４０構成は、例示をしたものに限定されるわけではない。  
カバー部３０の構成と配線部４０構成は、照明装置１に対する光学的な仕様や、灯具１００側の取付部材などに応じて適宜変更することができる。
【００５３】
本実施の形態に係る照明装置セット５１は、所望の光学的機能を有するカバー部３０を適宜選択することができる。そのため、照明装置セット５１は、本体部１０の共通化を図るとともに、照明装置に対する多様な光学的仕様に迅速に対応することができる。
その他、前述した照明装置１と同様の作用効果を享受することもできる。
【００５４】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５５】
１  照明装置、１０  本体部、１１  基部、１２  フランジ部、１３  位置合わせ部、２０  発光モジュール、２１  基板、２２  発光素子、３０  カバー部、３１  基部、３２  保持爪、３３  光学要素部、３３ａ  光学要素部、３３ｂ  光学要素部、３３ｄ  光学要素部、３４  取付部、３４ａ  取付部、３４ｂ  取付部、３４ｄ  取付部、３５ａ  配光部、３５ａ１  導光部、３５ａ２  反射部、３５ｂ  レンズ部、３５ｃ  凹部、３５ｄ  導光部、４０  配線部、４１  配線、４２  コネクタ、４２ａ  コネクタ、４２ｂ  コネクタ、４２ｄ  コネクタ、５１  照明装置セット、１００  灯具、１４２  コネクタ、１４２ａ  コネクタ、１４２ｂ  コネクタ、１４２ｃ  コネクタ
【図１】
2015122164.tif 000003
【図２】
2015122164.tif 000004
【図３】
2015122164.tif 000005